(57)【要約】【課題】複数のボリュームデータを合成表示する際、ユーザが、ボリュームレンダリングにより不透明度設定を各々のボリュームのヒストグラムの相互関係を視覚的に認識しつつ、各々のボリュームデータの不透明度を一度に及び簡易に調整することができる医用画像表示装置を提供する。【解決手段】対応するボクセル位置における第１のボリュームデータのボクセル値及び第２のボリュームデータのボクセル値の組み合わせの個数の２次元ヒストグラムデータを生成して表示するヒストグラム表示手段（Ｓ１０３）と、２次元ヒストグラムを参照して第１のボリュームデータ及び第２のボリュームデータをボリュームレンダリングにより合成して表示するための不透明度を表示して設定する設定手段（Ｓ１０９）と、第１のボリュームデータ及び第２のボリュームデータを、ボリュームレンダリングにより、設定された不透明度を用いて合成して得られた合成画像を生成して表示する合成画像表示手段（Ｓ１２５）と、を備えた。【選択図】  図２
2011072728.tif 000002
【特許請求の範囲】
【請求項１】
対応するボクセル位置における第１のボリュームデータのボクセル値及び第２のボリュームデータのボクセル値の組み合わせの個数の２次元ヒストグラムデータを生成して表示するヒストグラム表示手段と、
前記２次元ヒストグラムを参照して前記第１のボリュームデータ及び第２のボリュームデータをボリュームレンダリングにより合成して表示するための不透明度を表示して設定する設定手段と、
前記第１のボリュームデータ及び第２のボリュームデータを、ボリュームレンダリングにより前記設定手段により設定された不透明度を用いて合成して得られた合成画像を生成して表示する合成画像表示手段と、
を備えたことを特徴する医用画像表示装置。
【請求項２】
前記設定手段は、前記２次元ヒストグラム上に前記合成画像の不透明度を面で表示するように構成させることを特徴する請求項１記載の医用画像表示装置。
【請求項３】
前記設定手段は、前記２次元ヒストグラム上に前記合成画像の不透明度を曲線で表示するように構成させることを特徴する請求項１記載の医用画像表示装置。
【請求項４】
前記設定手段により表示された不透明度の曲線の変更の入力を受け付ける受付手段を備え、
前記合成画像表示手段は、前記受付手段により変更が受け付けられた場合、変更後の不透明度で前記第１のボリュームデータ及び第２のボリュームデータを再度合成して得られた合成画像を表示することを特徴する請求項１記載の医用画像表示装置。
【請求項５】
前記設定手段は、前記受付手段により不透明度の曲線の変更が受け付けられた場合、変更後の不透明度に基づいて前記２次元ヒストグラム上に不透明度を示す面に表示することを特徴する請求項４記載の医用画像表示装置。
【請求項６】
前記第１のボリュームデータ及び第２のボリュームデータに前記第１の色スケール及び第２の色スケールをそれぞれ設定する色設定手段と、
前記第１のボリュームデータの色スケールと、第２の色スケールとの合成率を設定する合成率設定手段とを備え、
前記ヒストグラム表示手段は、前記２次元ヒストグラム上に、前記第１の色スケール及び第２の色スケールを前記合成率で合成した合成スケールを割り当てて表示することを特徴する請求項５記載の医用画像表示装置。
【請求項７】
前記第１のボリュームデータ及び第２のボリュームデータに前記第１の色スケール及び第２の色スケールをそれぞれ設定する色設定手段と、
前記第１のボリュームデータの色スケールと、第２の色スケールとの合成率を設定する合成率設定手段とを備え、
前記合成画像表示手段は、前記２次元ヒストグラム上に、前記第１の色スケール及び第２の色スケールを前記合成率で合成した合成スケールを割り当てて表示することを特徴する請求項５記載の医用画像表示装置。
【発明の詳細な説明】
【技術分野】
【０００１】
本発明は、医用画像を表示する医用画像表示装置に関するもので、特に２つのボリュームデータをボリュームレンダリングにより３次元合成表示する際、ボリュームレンダリングにおける、各々のボリュームデータの各々の画素値に対応する不透明度をユーザが一度に設定できる医用画像表示装置に関する。
【背景技術】
【０００２】
近年、医用画像表示装置において医用画像を表示する際、複数のボリュームデータを合成してボリュームレンダリングにより３次元合成表示する方法が用いられている。この手法は、例えば下記の（１）乃至（３）に示すような状況で用いられている。
【０００３】
（１）開頭手術などの手術計画において３次元表示するための頭蓋骨と脳表面のＣＴ（Ｃｏｍｐｕｔｅｄ  Ｔｏｍｏｇｒａｐｈｙ）画像と、ｆＭＲＩ（ｆｕｎｃｔｉｏｎａｌ  Ｍａｇｎｅｔｉｃ  Ｒｅｓｏｎａｎｃｅ  Ｉｍａｇｉｎｇ）による脳機能マップ画像との３次元合成表示が使用される。この際、頭蓋骨と脳表面のＣＴ画像のボリュームレンダリングにおける不透明度の調整と、ｆＭＲＩにおける脳機能マップを表す領域における不透明の調整を、２つの不透明度設定画面を用いて設定する必要がある。そしてＣＴ画像の頭蓋骨の不透明度を調整して少し透かした状態で、ｆＭＲＩ画像による脳機能マップにおいて、言語や視覚などを掌る切除を避けた方がよい部分が３次元的に把握できるように不透明度が調整される。
【０００４】
（２）拡散強調画像（Ｄｉｆｆｕｓｉｏｎ  Ｗｅｉｇｈｔｅｄ  Ｉｍａｇｅ）または潅流画像（Ｐｅｒｆｕｓｉｏｎ  Ｉｍａｇｅ）において、抽出した脳梗塞部位と、ｆＭＲＩ画像などの脳機能マップ画像を合成して、脳梗塞部位と周辺の脳機能部分との位置関係を３次元的に把握したい時に、３次元合成表示が使用される。
【０００５】
（３）ＣＴ／ＭＲ、ＭＲ／ＭＲ、ＣＴ／ＣＴ画像など、形態画像同士で、個々のボリュームの見たい部位の値の範囲の不透明度を調整し、それぞれ見たい部位の位置関係を３次元的に把握したい時に、３次元合成表示が使用される。
【０００６】
このようにボリュームレンダリングにより３次元合成画像を表示する際、各々のボリュームデータに対して、ボリュームレンダリングにて使用される各々の不透明度を調整する必要がある。そして不透明度を調整するときには、従来、ユーザは、各ボリュームデータの画素値（ボクセル値）とその出現度数とを表すヒストグラム表示を確認しながら、ボリュームデータのボクセル値に対応する不透明度を、ボリュームデータ毎に不透明度曲線を用いて設定している。
【０００７】
例えば、被検体の同一部位について異なる撮影方式に従った撮影により得られた複数のボリュームデータにおける画像生成領域を適宜に変化させながら三次元画像合成処理を行うことにより画像診断及び治療上有益な画像を生成する医用画像表示装置が提案されている（特許文献１参照）。この医用画像表示装置において、複数画像の合成画像を表示する際、不透明度は、ボリューム毎に個別の不透明度曲線で設定される。
【先行技術文献】
【特許文献】
【０００８】
【特許文献１】特開２００１−１４４４６号公報
【発明の概要】
【発明が解決しようとする課題】
【０００９】
従来のボリュームレンダリングによる３次元合成表示（ボリュームフュージョン）では、複数のボリュームデータについてヒストグラムを参照しながら各々の不透明度を同時に設定することができないため、ボリュームデータを切り替えながら一つ一つのボリュームデータに関して個別に不透明度を設定する必要があった。そのため、ユーザが２つの不透明度設定画面を切り替えながら不透明度を設定する必要があり、手間がかかっていた。このような状況で、各々のボリュームデータの相互関係を確認しながら一度に双方の不透明度を調整して設定できることが望ましい。
【００１０】
本発明はこのような事情を考慮してなされたもので、複数のボリュームデータを合成表示する際、ユーザが、ボリュームレンダリングにより不透明度設定を各々のボリュームのヒストグラムの相互関係を視覚的に認識しつつ、各々のボリュームデータの不透明度を一度に及び簡易に調整することができる医用画像表示装置を提供することを目的とする。
【課題を解決するための手段】
【００１１】
本発明に係る医用画像処理装置は、対応するボクセル位置における第１のボリュームデータのボクセル値及び第２のボリュームデータのボクセル値の組み合わせの個数の２次元ヒストグラムデータを生成して表示するヒストグラム表示手段と、前記２次元ヒストグラムを参照して前記第１のボリュームデータ及び第２のボリュームデータをボリュームレンダリングにより合成して表示するための不透明度を表示して設定する設定手段と、前記第１のボリュームデータ及び第２のボリュームデータを、ボリュームレンダリングにより前記設定手段により設定された不透明度を用いて合成して得られた合成画像を生成して表示する合成画像表示手段と、を備えたことを特徴とする。
【発明の効果】
【００１２】
本発明に係る医用画像表示装置によると、複数のボリュームデータをボリュームレンダリングにより合成表示する際、ユーザが、ボリュームレンダリングの不透明度設定を各々のボリュームのヒストグラムの相互関係を視覚的に認識しつつ、各々のボリュームデータの不透明度を一度に及び簡易に調整することが可能となる。
【図面の簡単な説明】
【００１３】
【図１】本発明に係る医用画像表示装置の機能を示すブロック図。
【図２】本発明に係る医用画像表示装置が画像表示処理を行う際の手順を示すフローチャート。
【図３】ヒストグラムデータの作成方法を示す図。
【図４】ヒストグラムデータに基づいて作成された３次元のヒストグラムを示す図。
【図５】３次元のヒストグラム表示上に不透明度面を表示させた状態を示す図。
【図６】Ｖｏｌ１の色とＶｏｌ２の色とを設定する色設定画面、及びＶｏｌ１の色とＶｏｌ２の色との合成率を設定する合成率設定画面を示す図。
【図７】本発明に係る医用画像表示装置が不透明度調整処理を行う際の手順を示すフローチャート。
【発明を実施するための形態】
【００１４】
本発明に係る医用画像表示装置の実施形態を、添付図面に基づいて詳細に説明する。図１は、本発明に係る医用画像表示装置１の構成図である。ここでは医用画像表示装置１がユニット化されている場合を想定して説明するが、これに限定されず、単独のワークステーションでも良く、ＣＴ（Ｃｏｍｐｕｔｅｄ  Ｔｏｍｏｇｒａｐｈｙ）装置やＭＲＩ（Ｍａｇｎｅｔｉｃ  Ｒｅｓｏｎａｎｃｅ  Ｉｍａｇｉｎｇ  ｓｙｓｔｅｍ）装置などのモダリティ装置に組み込まれる装置であってもよい。
【００１５】
医用画像表示装置１は、３次元医用画像データをボリュームレンダリングで３次元表示する機能を備えた装置であり、図１に示すように、少なくとも、画像データ記憶部１０、画面表示制御部１１、表示装置１２、入力装置１３、不透明度設定制御部１４、表示条件設定制御部１５及びボリュームフュージョン画像作成部１６を備えている。
【００１６】
画像データ記憶部１０は、ＣＴ装置やＭＲＩ装置などのモダリティで収集された多数のマルチスライスの画像データ（ボリュームデータ）を記憶している。画像データ記憶部１０は、画面表示制御部１１から画像の要求を受けると、要求された画像のボリュームデータを抽出して画像表示制御部１１に伝送する。
【００１７】
画面表示制御部１１は、画像データ記憶部１０に記憶されているボリュームデータを取得すると、ユーザに提示するために液晶ディスプレイなどの表示装置１２に画像を表示させたり、他のボリュームデータと合成させるためにボリュームフュージョン画像作成部１６に引き渡したりする。また、画面表示制御部１１は、取得した複数のボリュームデータを合成するための各種設定画面を表示装置１２に表示させて、ユーザにキーボードやマウスなどの入力装置１３を介した入力を促す。画面表示制御部１１は、入力装置１３を介して設定情報が入力されると、入力された設定情報を表示条件設定制御部１４や不透明度設定制御部１５に渡す。
【００１８】
表示条件設定制御部１４は、画面表示制御部１１から表示条件の設定情報を取得すると、その表示条件を設定するとともに、ボリュームフュージョン画像生成部１６に渡す。不透明度設定制御部１５は、画面表示制御部１１から不透明度の設定情報を取得すると、その不透明度を設定するとともに、ボリュームヒュージョン画像生成部１６に渡す。
【００１９】
ボリュームフュージョン画像作成部１６は、画面表示制御部１１から複数のボリュームデータを取得するとともに、表示条件設定制御部１４から表示条件を、不透明度設定制御部１５から不透明度を取得して、複数のボリュームデータを表示条件、不透明度に基づいてボリュームレンダリングにより合成する。そしてボリュームフュージョン画像作成部１６は、３次元合成画像を表示装置１２に表示させる。
【００２０】
２つのボリュームデータの位置合わせが従来方法で行われることを前提とする。位置合わせ方法の例としては、画素値（ボクセル値）を比較したときのエントロピーを用いた位置合わせ法や、形態情報を用いた位置合わせ方法として３次元の形態情報のパターンマッチングにより位置合わせを行う方法、骨部や軟部組織の様な特定の構造物同士をアフィン変換によって位置合わせした後にテンプレートマッチングで得られたシフト量をワーピング（非線形歪変換）することにより再度局所的に位置合わせを行う方法などがある。
【００２１】
ここで、医用画像表示装置１が２つのボリュームデータをボリュームレンダリングにより３次元合成表示する画像表示処理を行う際の手順を、図２に示すフローチャートに基づいて詳細に説明する。
【００２２】
まず、画面表示制御部１１は、ボリュームフュージョンの対象となる２つのボリュームデータ（画像データ）を取得する（Ｓ１０１）。この際、画面表示制御部１１は、例えば複数の画像が羅列された画像選択画面を表示装置１２に表示させること等により、ユーザにボリュームフュージョンの対象とする画像の選択を促す。ユーザは、入力装置１３を用いて、ボリュームフュージョンを行いたい２つのボリュームデータを選択する。２つのボリュームデータが選択されると、画面表示制御部１１は、この２つのボリュームデータを画像記憶部１０から取得する。
【００２３】
画面表示制御部１１は、ステップＳ１０１にて取得した２つのボリュームデータに対して例えば上述したような公知の手法で位置合わせを行い、各々のボリュームデータの２次元ヒストグラムを表示装置１２の表示画面２０に表示させる（Ｓ１０３）。図３は、２次元ヒストグラムデータの生成方法を示す概略図である。医用画像表示装置１において２つのボリュームデータをボリュームレンダリングにより合成させてフュージョン画像を生成する際に、図３に示すように、一方のボリュームデータ（以下、Ｖｏｌ１）と他方のボリュームデータ（以下、Ｖｏｌ２）において、Ｖｏｌ１とＶｏｌ２の同一のボクセル位置（ｘ，ｙ，ｚ）における、Ｖｏｌ１のボクセル値Ｂ１（ｘ，ｙ，ｚ）→ＸとＶｏｌ２のボクセル値Ｂ２（ｘ，ｙ，ｚ）→Ｙの２つの値の組み合わせＢ１２（ｘ，ｙ，ｚ）→（Ｘ，Ｙ）となるボクセルの個数Ｚのヒストグラムデータを生成する。
【００２４】
図４は、ヒストグラムデータに基づいて作成された２次元ヒストグラムを３次元で示す図である。ヒストグラムデータは、図４に示すように、Ｘ軸がＶｏｌ１の取り得るボクセル値Ｘの軸であり、Ｙ軸がＶｏｌ２の取り得る値Ｙの軸であり、Ｚ軸がＶｏｌ１のボクセル値とＶｏｌ２のボクセル値との組み合わせ（Ｘ，Ｙ）を有するボクセルの個数とした、立体的な３次元グラフとして表される。なお、このグラフのＹ軸方向に個数が加算されて投影されたＸ軸上のグラフが、Ｖｏｌ１の値Ｘのヒストグラム２２になり、Ｘ軸方向に個数が加算されて投影されたＹ軸上のグラフが、Ｖｏｌ２の値Ｙのヒストグラム２３となる。
【００２５】
画面表示制御部１１は、不透明度設定制御部１５により表示装置１２に表示された不透明度設定画面において、ボリュームレンダリングにおける不透明度を設定する不透明度面を、ステップＳ１０３にて表示させた２次元ヒストグラムと重ねるようにして表示装置１２の表示画面２０に表示させる（Ｓ１０５）。
【００２６】
図５は、２次元ヒストグラム表示と重ねて不透明度面を表示させた状態を示す図である。多面表示制御部１１は、図５に示すように、図４に示す２次元ヒストグラム表示上に、２次元ヒストグラムと重なり合うようにして不透明度を示す不透明度面２４を表示する。不透明度面２４がＹ軸方向に投影されたＸ軸上の曲線はＶｏｌ１の不透明度曲線２５となり、不透明度面がＸ軸方向に投影されたＹ軸上の不透明度曲線はＶｏｌ２の不透明度曲線２６となる。
【００２７】
ユーザは、不透明度面２４上の点や線を入力装置１３を介して調整することができる。またユーザは、Ｘ軸上のＶｏｌ１の不透明度曲線２５またはＹ軸上のＶｏｌ２の不透明度曲線２６を入力装置１３を用いて調整することができる。不透明度設定制御部１５は、不透明度が調整されたか否かを判断する（Ｓ１０７）。不透明度が調整された場合（Ｓ１０７のＹｅｓ）は、不透明度設定制御部１５は、画面表示制御部１１から調整後の不透明度を取得して、この不透明度に基づいて不透明度データを作成する（Ｓ１０９）。
【００２８】
画面表示制御部１１は、ボリュームレンダリングに用いられる色データを設定するための色設定画面２７を表示装置１２の表示画面２０に表示させる（Ｓ１１１）。図６は、色設定画面２７及び合成率設定画面３１を示す図である。色データは、不透明度設定画面のヒストグラムデータを参照しながら、各々のボリュームデータのボクセル値の範囲に色スケールとして設定することができる。図６に示すように、２次元ヒストグラムの面上において、Ｖｏｌ１に設定した色スケール２８とＶｏｌ２で設定した色スケール２９とが合成された色が、ボリュームフュージョンの合成率をもとに２次元ヒストグラム上に設定される。また、ボリュームフュージョンにおける各々のボリュームデータの色の合成率は、合成率設定画面３１において、ユーザにより可変設定される。
【００２９】
画面表示制御部１１は、ユーザにより色や合成率が入力されたか否かを判断する（Ｓ１１３）。色や合成率が入力された場合（Ｓ１１３のＹｅｓ）は、画面表示制御部１１は入力された色や合成率の設定情報を不透明度設定制御部１５に渡す。不透明度設定制御部１５は、これらの設定情報に基づいて色を設定するとともに、ボリュームフュージョン画像作成部１６に色や合成率の設定情報を渡す（Ｓ１１５）。この際、画面表示制御部１１は、２次元ヒストグラムをステップＳ１１５にて設定された色で表示すると良い。
【００３０】
また画面表示制御部１１は、表示条件を設定するための表示条件設定画面を表示装置１２に表示させて、ユーザに表示条件を設定するよう促す（Ｓ１１７）。表示条件設定画面では、ボリュームレンダリングに必要なその他の表示条件が、ボリュームフュージョン画像を解した入力装置１３のユーザ操作により入力される。表示条件設定制御部１４は、表示条件設定画面により入力される表示条件（表示方向、表示位置、表示回転情報、表示拡大率、ボリュームフュージョンの合成率、ボリュームフュージョンの位置合わせ情報など）を取り込み、ボリュームフュージョン画像作成部１６に入力する。
【００３１】
画面表示制御部１１は、ユーザにより表示条件が入力されたか否かを判断する（Ｓ１１９）。表示条件が入力された場合（Ｓ１１９）は、画面表示制御部１１は、入力された表示条件の設定情報を表示条件設定制御部１４に渡す。表示条件設定制御部１４は、これらの設定情報に基づいて表示条件を設定するとともに、設定情報をボリュームフュージョン画像作成部１６に渡す（Ｓ１２１）。
【００３２】
ボリュームフュージョン画像作成部１６は、ステップＳ１０１にて取得した２つのボリュームデータ、ステップＳ１０９にて生成された２つのボリュームデータの不透明度データ、ステップＳ１１５にて設定された色データ、ステップＳ１２１にて設定された表示方向、表示位置、表示回転情報、表示拡大率、ボリュームフュージョンの合成率、ボリュームフュージョンの位置合わせ情報などの表示条件を用いて、ボリュームレンダリングによる合成画像（ボリュームフュージョン画像）を作成する（Ｓ１２３）。ボリュームフュージョン画像は、従来のボリュームレンダリング法による処理によって得られたデータに、ボリュームフュージョンの合成率を掛け合わせて足し算することによって作成される。
【００３３】
そして、ボリュームフュージョン画像作成部１６は、作成したボリュームフュージョン画像を表示装置１２に表示させる（Ｓ１２５）。
【００３４】
これらの構成により、ユーザは不透明度設定画面を用いて、２つのボリュームデータの同一位置におけるボクセル値の相互関係を見ながら不透明度を簡便に調整することによって、ボリュームフュージョン画像を表示させることができる。
【００３５】
なお、医用画像表示装置１においてボリュームフュージョン画像を表示する際、ユーザ操作により画像選択画面、不透明度設定画面、表示条件設定画面などの画面の表示・非表示または切り替えの制御を行うことができる。
【００３６】
医用画像表示装置１においてボリュームフュージョン画像を表示する際、画像選択画面、不透明度設定画面、表示条件設定画面などの画面を表示させ、ユーザにより不透明度面が調整された場合などには、逐次、Ｘ軸またはＹ軸上の不透明度曲線に調整結果を反映させることができる。また、その逆に、不透明度曲線が調整された場合、不透明度面に反映させることができる。これにより、ユーザは相互のヒストグラムの関係を見ながら不透明度を調整することができる。
【００３７】
医用画像表示装置１がボリュームフュージョン画像を表示する際、画像選択画面、不透明度設定画面、表示条件設定画面などの画面を表示させておくことにより、ユーザにより不透明度面が調整された場合に、ボリュームフュージョンされた各々のボリュームレンダリングの不透明度を調整する不透明度調整処理を行う際の手順を、図７に示すフローチャートに基づいて詳細に説明する。
【００３８】
まず、不透明度設定制御部１５は、ステップＳ１２５にてボリュームフュージョン画像が表示された後、不透明度設定画面が表示されている間、不透明度が変更されたか否かを判断する（Ｓ２０１）。そして、不透明度が変更された場合（Ｓ２０１のＹｅｓ）は、不透明度設定制御部１５は、変更後の不透明度面に基づいて不透明度データを再度作成する（Ｓ２０３）。
【００３９】
不透明度データが作成されると、ボリュームフュージョン画像作成部１６は、ステップＳ２０３にて作成された不透明度データを用いて、２つのボリュームデータを再度ボリュームフュージョンして、フュージョン画像を作成する（Ｓ２０５）。そしてボリュームフュージョン画像作成部１６は、ステップＳ２０５にて作成されたフュージョン画像を表示装置１２に表示させる（Ｓ２０７）。
【００４０】
このように医用画像表示装置１は、Ｘ軸をＶｏｌｕｍｅ１の値、Ｙ軸をＶｏｌｕｍｅ２の値、Ｚ軸を（Ｖｏｌｕｍｅ１の値、Ｖｏｌｕｍｅ２の値）を取りうる個数、とする２次元ヒストグラムを表示、または、Ｘ軸をＶｏｌｕｍｅ１、Ｙ軸をＶｏｌｕｍｅ２、Ｚ軸を不透明度とした３次元座標空間上に、各ボリュームのヒストグラムと、設定する不透明度面を表示し、不透明度面の傾きをユーザが変更できるようにする。
【００４１】
医用画像表示装置１による２つのボリュームデータのボリュームフュージョン表示において、合成対象の２つのボリュームデータの不透明度が３次元グラフ上に表示されるため、ユーザは不透明度面上の点または線を使って、あるいはＸ軸またはＹ軸上の不透明度曲線を使って、各々のボリュームデータの不透明度を一度に調整することができる。また、ユーザは、２つのボリュームデータの同一位置のボクセル値の関係を２次元のヒストグラムデータの３次元グラフを見ながら把握できる。さらに、不透明度設定画面における各ボリュームの色データを設定し、３次元グラフ上にボリュームフュージョンの合成率を考慮させた色を配置することで、視覚的にボリュームフュージョン画像の色とボクセル値との関係を把握することができる。
【００４２】
医用画像表示装置１は、下記の（例１）乃至（例３）に示すような状況において、特に有用である。
【００４３】
（例１）
開頭手術などの手術計画で３次元表示するための頭蓋骨と脳表面のＣＴ画像と、ｆＭＲＩによる脳機能マップ画像とを合成表示する際、従来は、頭蓋骨と脳表面のＣＴ画像のボリュームレンダリングにおける不透明度の調整と、ｆＭＲＩにおける脳機能マップを表す領域における不透明度の調整を、各々の不透明度設定画面を使ってそれぞれ別個に設定しなければならなかった。そして、ＣＴ画像の頭蓋骨の不透明度を調整して少し透かして、ｆＭＲＩ画像による脳機能マップにおいて言語や視覚などを掌る切除を避けた方がよい部分を医師が３次元的に把握したい場合などに不便であった。
【００４４】
医用画像表示装置１では、不透明度設定画面において、ＣＴ画像における頭蓋骨と脳表面を表す領域、ｆＭＲＩ画像における脳機能マップを表す領域、の相互のボクセル値に相当する部分が見えるように、不透明度面を動かすことにより、２つのボリュームデータの不透明度設定を同時に調整することができる。また、頭蓋骨に相当する領域の不透明度を、ＣＴ画像の軸の不透明度曲線を使って少し下げることにより、医師は頭蓋骨中の脳機能部分の位置関係を把握することができ、開頭手術する際できるだけ避ける場所について手術計画に役立てることができる。
【００４５】
（例２）
医師が、拡散強調画像（Ｄｉｆｆｕｓｉｏｎ  Ｗｅｉｇｈｔｅｄ  Ｉｍａｇｅ）または潅流画像（Ｐｅｒｆｕｓｉｏｎ  Ｉｍａｇｅ）で、抽出した脳梗塞部位と、ｆＭＲＩ画像などの脳機能マップ能画像を合成して、脳梗塞部位と周辺の脳機能部分との位置関係を３次元的に把握したい場合に不便であった。
【００４６】
医用画像表示装置１では、不透明度設定画面において、拡散強調画像または潅流画像における脳梗塞部位に相当する領域、ｆＭＲＩ画像における脳機能マップを表す領域、の相互のボクセル値に相当する部分が見えるように、不透明度面を動かすことにより、２つのボリュームデータの不透明度設定を同時に調整することができる。また、脳機能マップの不透明度をｆＭＲＩ画像軸上の不透明度曲線を少し下げて、脳機能マップを少し透かした状態での脳梗塞部位を表示させることにより、医師は３次元的な位置関係を把握でき、診断に役立てることができる。
【００４７】
（例３）
ＣＴ／ＭＲ、ＭＲ／ＭＲ、ＣＴ／ＣＴ画像など、形態画像同士で、個々のボリュームの見たい部位の値の範囲の不透明度を調整し、それぞれ見たい部位の位置関係を３次元的に把握したい場合などに不便であった。
【００４８】
医用画像表示装置１では、不透明度設定画面において、例えば、ＣＴ画像における脳梗塞部位の領域、ＭＲ画像における脳梗塞部位の領域、の相互のボクセルに相当する部分が見えるように、不透明度面を動かすことにより、２つのボリュームデータの不透明度設定を同時に調整することができる。どちらかのボリュームの不透明度曲線、もしくは、不透明度面を使って、不透明度を少しさげることにより、医師はＣＴとＭＲ画像による脳梗塞部位の境界領域の形態の違いを把握し、診断に役立てることができる。
【００４９】
本発明に係る医用画像表示装置１によると、複数のボリュームデータをボリュームレンダリングにより合成表示する際、ユーザが、ボリュームレンダリングの不透明度設定を各々のボリュームのヒストグラムの相互関係を視覚的に認識しつつ、各々のボリュームデータの不透明度を一度に及び簡易に調整することが可能となる。
【００５０】
これにより、ユーザは、２つのボリュームデータをボリュームレンダリングにより合成する際に、より見やすい画像を作成するための不透明度（Ｏｐａｃｉｔｙ）設定の手間を軽減することができる。また、各々のボリュームデータのヒストグラムと不透明度面とが同一グラフ上に３次元表示されているので、ユーザは、直観的に相互のボリュームデータ分布と不透明度分布とを把握することができる。さらに、ユーザは、入力装置１３で不透明度面を操作することにより、双方のボリュームデータの不透明度を、双方のボリュームデータのヒストグラムを見ながら一度に調整できる。
【符号の説明】
【００５１】
１…医用画像表示装置，１０…画像データ記憶部，１１…画面表示制御部，１２…表示装置，１３…入力装置，１４…表示条件設定制御部，１５…不透明度設定制御部，１６…ボリュームフュージョン画像作成部。
【図１】
2011072728.tif 000003
【図２】
2011072728.tif 000004
【図３】
2011072728.tif 000005
【図４】
2011072728.tif 000006
【図５】
2011072728.tif 000007
【図６】
2011072728.tif 000008
【図７】
2011072728.tif 000009